(57)【要約】【課題】電池の状態に応じて、電池を適切に充電する。【解決手段】電子部品３０は、給電コイル２１から給電される受電コイル１１、及び受電コイル１１と共振する共振コンデンサ１２を有する共振回路１０に接続されるスイッチング素子であって、共振コンデンサ１２とともに受電コイル１１と並列に接続され、且つ、共振コンデンサ１２と直列に接続されるトランジスタ３１と、受電コイル１１が受電した電力を整流した直流電力により充電される電池１５と直列に接続されるドロッパ制御トランジスタ３２と、電池１５の出力電圧が所定の閾値電圧以下である場合に、トランジスタ３１を非導通状態にするとともに、電池１５に流れる充電電流が所定の電流値と一致するようにドロッパ制御トランジスタ３２に流れる電流を制御する充電制御部４０とを備える。【選択図】図１
2014131440.tif 000002
【特許請求の範囲】
【請求項１】
給電コイルから給電される受電コイル、及び前記受電コイルと共振する共振コンデンサを有する共振回路に接続されるスイッチング素子であって、前記共振コンデンサとともに前記受電コイルと並列に接続され、且つ、前記共振コンデンサと直列に接続されるスイッチング素子と、
前記受電コイルが受電した電力を整流した直流電力により充電される電池と直列に接続されるトランジスタと、
前記電池の出力電圧が所定の閾値電圧以下である場合に、前記スイッチング素子を非導通状態にするとともに、前記電池に流れる充電電流が所定の電流値と一致するように前記トランジスタに流れる電流を制御する充電制御部と
を備えることを特徴とする電子部品。
【請求項２】
前記充電制御部は、
前記電池の出力電圧が前記所定の閾値電圧より高い場合に、前記トランジスタをバイパスして前記直流電力を前記電池に供給するとともに、さらに、前記充電電流が前記所定の閾値電流以上である場合に、前記スイッチング素子を非導通状態にする
ことを特徴とする請求項１に記載の電子部品。
【請求項３】
前記充電制御部は、
前記電池の出力電圧が前記所定の閾値電圧より高い場合に、前記トランジスタを導通状態にした状態により前記トランジスタに流れる電流の制御を停止するとともに、さらに、前記充電電流が前記所定の閾値電流以上である場合に、前記スイッチング素子を非導通状態にする
ことを特徴とする請求項１に記載の電子部品。
【請求項４】
前記充電制御部は、
前記電池の出力電圧と、前記所定の閾値電圧とを比較し、比較結果を出力する第１の比較部と、
前記第１の比較部による比較結果に基づいて、前記電池の出力電圧が前記所定の閾値電圧より高い場合の第１の充電モードと、前記電池の出力電圧が前記所定の閾値電圧以下である場合の第２の充電モードとを切り替える切り替え部と
を備えることを特徴とする請求項２又は請求項３に記載の電子部品。
【請求項５】
前記充電制御部は、
前記充電電流を電圧に変換する電圧変換部と、
前記電圧変換部によって変換された電圧と、前記所定の閾値電流に対応する第１の閾値電圧とを比較し、前記変換された電圧が、前記第１の閾値電圧以上である場合に、前記スイッチング素子を非導通状態にする制御信号を出力する第２の比較部と、
前記電圧変換部によって変換された電圧と、前記所定の電流値に対応する第２の閾値電圧とを比較し、前記変換された電圧が、前記第２の閾値電圧以上である場合に、前記トランジスタの抵抗を増加させる制御信号を出力する第３の比較部と
を備えることを特徴とする請求項２から請求項４のいずれか一項に記載の電子部品。
【請求項６】
前記所定の閾値電流は、前記電池の放電特性に基づいて定められる標準充電電流値であり、
前記所定の電流値は、前記標準充電電流値よりも小さく定められたプリチャージ充電電流値である
ことを特徴とする請求項２から請求項５のいずれか一項に記載の電子部品。
【請求項７】
請求項１に記載の電子部品と、
前記受電コイル及び前記共振コンデンサを有する前記共振回路と、
前記受電コイルが受電した電力を整流して、直流電力に変換する整流部と、
前記整流部によって変換された直流電力により充電される前記電池と
を備えることを特徴とする受電装置。
【請求項８】
請求項７に記載の受電装置と、
前記受電コイルに対向して配置される前記給電コイルを備える給電装置と
を備えることを特徴とする給電システム。
【発明の詳細な説明】
【技術分野】
【０００１】
本発明は、電子部品、受電装置、及び給電システムに関する。
【背景技術】
【０００２】
近年、給電コイルと受電コイルとの電磁誘導、或いは電磁結合により、例えば、携帯電話端末やＰＤＡ（Ｐｅｒｓｏｎａｌ  Ｄｉｇｉｔａｌ  Ａｓｓｉｓｔａｎｔ）などの電子機器が備える電池を充電するために、ワイヤレスで電力を供給する給電システムが知られている。このような給電システムにおいて、受電側の受電装置は、受電コイル、及び受電コイルと共振する共振コンデンサを有し、過電流が流れた際に、電池に充電するための電流を制限するために、共振コンデンサの接続を電気的に切り離す制御を行っている（例えば、特許文献１及び特許文献２を参照）。
【先行技術文献】
【特許文献】
【０００３】
【特許文献１】特開平１０−１２６９６８号公報
【特許文献２】特許平８−１０３０２８号公報
【発明の概要】
【発明が解決しようとする課題】
【０００４】
しかしながら、上述のような受電装置では、例えば、過放電などにより電圧が低下した状態から電池を充電する場合に、共振コンデンサを共振回路から電気的に切り離す制御を行っても、受電コイルにより供給される電圧が電池の電圧よりも高くなり、大きな充電電流が流れ続けることがある。
このように、上述のような給電システムでは、電池の状態に応じて電池を適切に充電できないことがある。
【０００５】
本発明は、上記問題を解決すべくなされたもので、その目的は、電池の状態に応じて、電池を適切に充電することができる電子部品、受電装置、及び給電システムを提供することにある。
【課題を解決するための手段】
【０００６】
上記問題を解決するために、本発明の一態様は、給電コイルから給電される受電コイル、及び前記受電コイルと共振する共振コンデンサを有する共振回路に接続されるスイッチング素子であって、前記共振コンデンサとともに前記受電コイルと並列に接続され、且つ、前記共振コンデンサと直列に接続されるスイッチング素子と、前記受電コイルが受電した電力を整流した直流電力により充電される電池と直列に接続されるトランジスタと、前記電池の出力電圧が所定の閾値電圧以下である場合に、前記スイッチング素子を非導通状態にするとともに、前記電池に流れる充電電流が所定の電流値と一致するように前記トランジスタに流れる電流を制御する充電制御部とを備えることを特徴とする電子部品である。
【０００７】
また、本発明の一態様は、上記の電子部品において、前記充電制御部は、前記電池の出力電圧が前記所定の閾値電圧より高い場合に、前記トランジスタをバイパスして前記直流電力を前記電池に供給するとともに、さらに、前記充電電流が前記所定の閾値電流以上である場合に、前記スイッチング素子を非導通状態にすることを特徴とする。
【０００８】
また、本発明の一態様は、上記の電子部品において、前記充電制御部は、前記電池の出力電圧が前記所定の閾値電圧より高い場合に、前記トランジスタを導通状態にした状態により前記トランジスタに流れる電流の制御を停止するとともに、さらに、前記充電電流が前記所定の閾値電流以上である場合に、前記スイッチング素子を非導通状態にすることを特徴とする。
【０００９】
また、本発明の一態様は、上記の電子部品において、前記充電制御部は、前記電池の出力電圧と、前記所定の閾値電圧とを比較し、比較結果を出力する第１の比較部と、前記第１の比較部による比較結果に基づいて、前記電池の出力電圧が前記所定の閾値電圧より高い場合の第１の充電モードと、前記電池の出力電圧が前記所定の閾値電圧以下である場合の第２の充電モードとを切り替える切り替え部とを備えることを特徴とする。
【００１０】
また、本発明の一態様は、上記の電子部品において、前記充電制御部は、前記充電電流を電圧に変換する電圧変換部と、前記電圧変換部によって変換された電圧と、前記所定の閾値電流に対応する第１の閾値電圧とを比較し、前記変換された電圧が、前記第１の閾値電圧以上である場合に、前記スイッチング素子を非導通状態にする制御信号を出力する第２の比較部と、前記電圧変換部によって変換された電圧と、前記所定の電流値に対応する第２の閾値電圧とを比較し、前記変換された電圧が、前記第２の閾値電圧以上である場合に、前記トランジスタの抵抗を増加させる制御信号を出力する第３の比較部とを備えることを特徴とする。
【００１１】
また、本発明の一態様は、上記の電子部品において、前記所定の閾値電流は、前記電池の放電特性に基づいて定められる標準充電電流値であり、前記所定の電流値は、前記標準充電電流値よりも小さく定められたプリチャージ充電電流値であることを特徴とする。
【００１２】
また、本発明の一態様は、上記に記載の電子部品と、前記受電コイル及び前記共振コンデンサを有する前記共振回路と、前記受電コイルが受電した電力を整流して、直流電力に変換する整流部と、前記整流部によって変換された直流電力により充電される前記電池とを備えることを特徴とする受電装置である。
【００１３】
また、本発明の一態様は、上記に記載の受電装置と、前記受電コイルに対向して配置される前記給電コイルを備える給電装置とを備えることを特徴とする給電システムである。
【発明の効果】
【００１４】
本発明によれば、電池の状態に応じて、電池を適切に充電することができる。
【図面の簡単な説明】
【００１５】
【図１】第１の実施形態による給電システムの一例を示す概略ブロック図である。
【図２】本実施形態における充電モードの切り替え処理を示すフローチャートである。
【図３】本実施形態における充電モードの切り替えと充電電圧及び充電電流との関係の一例を示す図である。
【図４】本実施形態における受電装置の動作の一例を示すタイミングチャートである。
【図５】本実施形態における充電電圧及び充電電流の関係の一例を示す図である。
【図６】第２の実施形態による給電システムの一例を示す概略ブロック図である。
【発明を実施するための形態】
【００１６】
以下、本発明の一実施形態による給電システムについて図面を参照して説明する。
［第１の実施形態］
図１は、本発明に係る第１の実施形態による給電システム１００の一例を示す概略ブロック図である。
この図において、給電システム１００は、給電装置２と、受電装置１とを備えている。
給電システム１００は、給電装置２から受電装置１にワイヤレス（非接触）により電力を供給するシステムであり、例えば、受電装置１が備える電池１５を充電するための電力を給電装置２から受電装置１に供給する。受電装置１は、例えば、携帯電話端末やＰＤＡなどの電子機器であり、給電装置２は、例えば、受電装置１に対応する充電器である。
【００１７】
給電装置２は、給電コイル２１、共振コンデンサ２２、駆動トランジスタ２３、及び発振回路２４を備えている。
【００１８】
給電コイル２１は、第１端子が電源ＶＣＣに接続され、第２端子がノードＮ２１に接続されている。給電コイル２１は、例えば、電磁誘導、又は電磁結合により、受電装置１が備える受電コイル１１に電力を供給するコイルである。給電コイル２１は、電池１５の充電をする際に、受電コイル１１と対向して配置され、電磁誘導により受電コイル１１に給電する。
【００１９】
共振コンデンサ２２は、給電コイル２１と並列に接続されており、給電コイル２１と共振するコンデンサである。ここで、給電コイル２１と共振コンデンサ２２とは、共振回路２０を構成している。共振回路２０は、給電コイル２１のインダクタンス値と共振コンデンサ２２の容量値とにより定まる所定の共振周波数（例えば、１００ｋＨｚ（キロヘルツ））により共振する。
【００２０】
駆動トランジスタ２３は、例えば、ＦＥＴトランジスタ（電界効果トランジスタ）であり、共振回路２０に直列に接続されている。本実施形態では、一例として、駆動トランジスタ２３が、Ｎ型チャネルＭＯＳ（Ｍｅｔａｌ  Ｏｘｉｄｅ  Ｓｅｍｉｃｏｎｄｕｃｔｏｒ）ＦＥＴである場合について説明する。なお、以下の説明において、ＭＯＳＦＥＴをＭＯＳトランジスタといい、Ｎ型チャネルＭＯＳトランジスタをＮＭＯＳトランジスタという場合がある。
駆動トランジスタ２３は、ソース端子が接地され、ゲート端子が発振回路２４の出力信号線に接続され、ドレイン端子がノードＮ２１に接続されている。駆動トランジスタ２３は、発振回路２４の出力によりオン状態（導通状態）とオフ状態（非導通状態）とを周期的に繰り返す。これにより、給電コイル２１に周期的な信号が発生し、給電コイル２１から電磁誘導により受電コイル１１に給電する。
【００２１】
発振回路２４は、所定の周期により、駆動トランジスタ２３をオン状態（導通状態）とオフ状態（非導通状態）とにする制御信号を出力する。
【００２２】
受電装置１は、受電コイル１１、受電コイル１１、共振コンデンサ１２、整流ダイオード１３、平滑コンデンサ１４、電池１５、及び電子部品３０を備えている。
【００２３】
受電コイル１１は、第１端子がノードＮ１に接続され、第２端子が電源ＧＮＤに接続されている。受電コイル１１は、例えば、電磁誘導、又は電磁結合により、給電装置２が備える給電コイル２１から電力を供給されるコイルである。受電コイル１１は、電池１５の充電をする際に、給電コイル２１と対向して配置される。
【００２４】
共振コンデンサ１２は、受電コイル１１と並列に接続されており、受電コイル１１と共振するコンデンサである。共振コンデンサ１２は、ノードＮ１とノードＮ２との間に接続されている。ここで、受電コイル１１と共振コンデンサ１２とは、共振回路１０を構成している。共振回路１０は、受電コイル１１のインダクタンス値と共振コンデンサ１２の容量値とにより定まる所定の共振周波数（例えば、１００ｋＨｚ）により共振する。なお、本実施形態では、受電装置１の共振周波数と給電装置２の共振周波数とは等しく、例えば、１００ｋＨｚである。
【００２５】
整流ダイオード１３（整流部）は、アノード端子が受電コイル１１の一端であるノードＮ１に接続され、カソード端子が平滑コンデンサ１４の一端であるノードＮ３に接続されている。整流ダイオード１３は、受電コイル１１が受電した電力を整流して、直流電力に変換する。すなわち、整流ダイオード１３は、受電コイル１１に発生する交流電力（交流電圧）を直流電力（直流電圧）に変換し、電池１５に充電のための電力を供給する。
平滑コンデンサ１４は、整流ダイオード１３が変換した直流電力を平滑化する。
【００２６】
電池１５は、例えば、蓄電池や二次電池であり、整流ダイオード１３によって整流された直流電圧によって充電される。すなわち、電池１５は、受電コイル１１が受電した電力を整流した直流電力により充電される。
【００２７】
電子部品３０は、例えば、ＩＣ（Ｉｎｔｅｇｒａｔｅｄ  Ｃｉｒｃｕｉｔ：集積回路)などの部品である。なお、電子部品３０は、ＩＣなどの複数の部品を備えるモジュールなどであってもよい。電子部品３０は、トランジスタ３１と、ドロッパ制御トランジスタ３２と、充電制御部４０とを備えている。
【００２８】
トランジスタ３１（スイッチング素子）は、共振回路１０に接続されるスイッチング素子であって、共振コンデンサ１２とともに受電コイル１１と並列に接続され、且つ、共振コンデンサ１２と直列に接続される。トランジスタ３１は、例えば、ＮＭＯＳトランジスタであり、ソース端子が電源ＧＮＤに接続され、ドレイン端子がノードＮ２に接続されている。また、トランジスタ３１は、ゲート端子が後述する充電制御部４０からの出力信号線に接続されている。トランジスタ３１は、充電制御部４０によって、オン状態にされることにより共振コンデンサ１２が機能し、共振回路１０に共振を発生させる。また、トランジスタ３１は、充電制御部４０によって、オフ状態にされることにより共振コンデンサ１２が電気的に切り離され、共振回路１０の共振を停止させる。
【００２９】
ドロッパ制御トランジスタ３２は、後述するスイッチ部５１を介して電池１５と直列に接続されるトランジスタである。ドロッパ制御トランジスタ３２は、例えば、ＭＯＳトランジスタやバイポーラトランジスタなどである。ドロッパ制御トランジスタ３２は、充電制御部４０から供給される制御信号に基づいて、電池１５に供給する充電電流を制御する。例えば、ドロッパ制御トランジスタ３２は、後述するプリチャージ充電モードである場合に、約１／１０Ｃ〜約１／２０Ｃ程度の電流値に充電電流を制限する。
ここで、“Ｃ”とは、電池１５の公称容量値の容量を定電流放電して、１時間で放電終了となる電流値を１Ｃとする単位である。本実施形態では、電池１５の公称容量値が、例えば、２００ｍＡｈ（ミリアンペア時）であり、１Ｃが２００ｍＡである場合の一例について説明する。
【００３０】
充電制御部４０は、電池１５の出力電圧（電池１５の充電電池端電圧）が、例えば、３．０Ｖ以下（所定の閾値電圧以下）である場合に、プリチャージ充電モード（第２の充電モード）にして、電池１５に流れる充電電流が例えば、１０ｍＡ（１／２０Ｃ）になるようにドロッパ制御トランジスタ３２を制御する。また、充電制御部４０は、電池１５の出力電圧が、例えば、３．０Ｖより高い場合に、定電流充電モード（第１の充電モード）にして、電池１５に流れる充電電流が、例えば、１００ｍＡ（０．５Ｃ）となるようにトランジスタ３１を制御する。
すなわち、充電制御部４０は、電池１５の出力電圧が３．０Ｖ以下である場合に、トランジスタ３１をオフ状態にするとともに、電池１５に流れる充電電流が１０ｍＡ（１／２０Ｃ）と一致するようにドロッパ制御トランジスタ３２に流れる電流を制御する。
また、充電制御部４０は、電池１５の出力電圧が３．０Ｖより高い場合に、ドロッパ制御トランジスタ３２をバイパスして直流電力を電池１５に供給する。この場合において、充電制御部４０は、さらに、充電電流が１０ｍＡ電流以上である場合に、トランジスタ３１をオフ状態にし、充電電流が１０ｍＡ電流未満である場合に、トランジスタ３１をオン状態にする。
【００３１】
以下、充電制御部４０の具体的な構成について説明する。
充電制御部４０は、抵抗４１、コンパレータ（４２，４４）、オペアンプ４６、基準電源（４３，４５，４７）、及び切り替え部５０を備えている。
【００３２】
抵抗４１は、電池１５の陰極端子（−（マイナス）端子）と接続されたノードＮ５と、電源ＧＮＤとの間に接続されており、充電電流を電圧に変換する電圧変換部に対応する。抵抗４１は、電池１５の充電電流の変化を電圧の変化としてノードＮ５に出力する。なお、電池１５は、抵抗４１と直列に接続されており、陽極端子（＋（プラス）端子）が、切り替え部５０のスイッチ部５１の出力端子に接続されているノードＮ４に接続され、陰極端子（−端子）がノードＮ５に接続されている。
【００３３】
コンパレータ４２（第１の比較部）は、電池１５の出力電圧と、所定の閾値電圧（例えば、３．０Ｖ）とを比較し、比較した比較結果を切り替え部５０に出力する。コンパレータ４２は、＋入力端子がノードＮ４に接続され、−入力端子が基準電源４３に接続されている。ここで、ノードＮ４の電圧は、電池１５の出力電圧（充電電池端電圧）に対応する。また、基準電源４３は、例えば、３．０Ｖを出力する定電圧源である。
具体的に、コンパレータ４２は、電池１５の出力電圧が３．０Ｖ以下である場合に、Ｌ状態（ロウ状態）を出力端子に出力する。また、コンパレータ４２は、電池１５の出力電圧が３．０Ｖより高い場合に、Ｈ状態（ハイ状態）を出力端子に出力する。
【００３４】
切り替え部５０は、コンパレータ４２による比較結果に基づいて、電池１５の出力電圧が３．０Ｖより高い場合の定電流充電モードと、電池１５の出力電圧が３．０Ｖ以下である場合のプリチャージ充電モードとを切り替える。具体的に、切り替え部５０は、例えば、コンパレータ４２の出力がＨ状態である場合に、定電流充電モードに切り替える。また、切り替え部５０は、例えば、コンパレータ４２の出力がＬ状態である場合に、プリチャージ充電モードに切り替える。
また、切り替え部５０は、スイッチ部（５１，５２）を備えている。
【００３５】
スイッチ部５１は、Ａ端子がノードＮ３に接続され、Ｂ端子がドロッパ制御トランジスタ３２の出力端子に接続され、コンパレータ４２の出力に応じて、Ａ端子及びＢ端子のいずれか一方とノードＮ４とを導通状態にする。スイッチ部５１は、コンパレータ４２の出力がＨ状態である場合に、Ａ端子（ノードＮ３）とノードＮ４とを接続して、ドロッパ制御トランジスタ３２をバイパスして、整流ダイオード１３が整流した直流電力を電池１５の陽極端子に供給する。また、スイッチ部５１は、コンパレータ４２の出力がＬ状態である場合に、Ｂ端子とノードＮ４とを接続して、ドロッパ制御トランジスタ３２を介して、整流ダイオード１３が整流した直流電力を電池１５の陽極端子に供給する。
【００３６】
スイッチ部５２は、Ａ端子がコンパレータ４４の出力端子に接続され、Ｂ端子が電源ＧＮＤに接続され、コンパレータ４２の出力に応じて、Ａ端子及びＢ端子のいずれか一方とトランジスタ３１のゲート端子とを導通状態にする。スイッチ部５２は、コンパレータ４２の出力がＨ状態である場合に、Ａ端子とトランジスタ３１のゲート端子とを接続して、コンパレータ４４の出力をトランジスタ３１のゲート端子に供給する。この場合にトランジスタ３１は、コンパレータ４４の出力に応じてオフ状態とオン状態とのいずれかの状態になる。
また、スイッチ部５２は、コンパレータ４２の出力がＬ状態である場合に、Ｂ端子とトランジスタ３１のゲート端子とを接続して、トランジスタ３１のゲート端子に電源ＧＮＤを供給する。この場合にトランジスタ３１は、オフ状態になるため、共振コンデンサ１２が電気的に切り離されて機能しない状態（無効状態）になる。
【００３７】
なお、スイッチ部５１及びスイッチ部５２のＡ端子が選択される状態が、定電流充電モードに対応し、スイッチ部５１及びスイッチ部５２のＡ端子が選択される状態が、プリチャージ充電モードに対応する。
【００３８】
ここで、定電流充電モードとは、ドロッパ制御トランジスタ３２をバイパスして電池１５に充電するモードである。また、定電流充電モードでは、１００ｍＡ（０．５Ｃ）の定電流により充電するために、コンパレータ４４の出力に応じてトランジスタ３１をオフ状態とオン状態とを切り替えて電池１５に充電する。
【００３９】
また、プリチャージ充電モードとは、ドロッパ制御トランジスタ３２を介して電池１５に充電するとともに、トランジスタ３１をオフ状態にして共振コンデンサ１２を無効状態にして充電するモードである。なお、プリチャージ充電モードでは、１０ｍＡ（１／２０Ｃ）の電流により充電するために、オペアンプ４６の出力に応じてドロッパ制御トランジスタ３２の両端抵抗を増減して電池１５に充電する。
【００４０】
コンパレータ４４（第２の比較部）は、抵抗４１によって変換された電圧と、基準電源４５の出力電圧とを比較し、変換された電圧が、基準電源４５の出力電圧以上である場合に、トランジスタ３１をオフ状態にする制御信号をスイッチ部５２に出力する。コンパレータ４４は、＋入力端子が基準電源４５に接続され、−入力端子がノードＮ５に接続されている。ここで、ノードＮ５の電圧は、電池１５の充電電流に対応する。
また、基準電源４５は、所定の閾値電流（例えば、１００ｍＡ）に対応する第１の閾値電圧を出力する定電圧源である。
【００４１】
具体的に、コンパレータ４４は、抵抗４１によって変換された電圧が第１の閾値電圧より低い場合に、Ｈ状態を出力端子に出力する。また、コンパレータ４４は、抵抗４１によって変換された電圧が第１の閾値電圧以上である場合に、Ｌ状態を出力端子に出力する。
【００４２】
なお、基準電源４５が出力する第１の閾値電圧は、下記の式（１）により算出される。
【００４３】
第１の閾値電圧＝標準充電電流値×抵抗４１の抵抗値  ・・・（１）
【００４４】
ここで、標準充電電流値は、電池１５の放電特性（例えば、公称容量値）に基づいて定められ、本実施形態では、例えば、１００ｍＡ（０．５Ｃ）である。
【００４５】
オペアンプ４６（第３の比較部）は、抵抗４１によって変換された電圧と、基準電源４７の出力電圧とを比較し、変換された電圧が、基準電源４７の出力電圧以上である場合に、ドロッパ制御トランジスタ３２の両端抵抗値を増大する制御信号をドロッパ制御トランジスタ３２に出力する。すなわち、オペアンプ４６は、変換された電圧が、基準電源４７の出力電圧以上である場合に、ドロッパ制御トランジスタ３２の抵抗を増加させる制御信号をドロッパ制御トランジスタ３２に出力する。オペアンプ４６は、＋入力端子がノードＮ５に接続され、−入力端子が基準電源４７に接続されている。
また、基準電源４７は、所定の電流値（例えば、１０ｍＡ）に対応する第２の閾値電圧を出力する定電圧源である。
【００４６】
具体的に、オペアンプ４６は、抵抗４１によって変換された電圧が第２の閾値電圧以上である場合に、出力端子の電圧を上昇させる。また、オペアンプ４６は、抵抗４１によって変換された電圧が第２の閾値電圧より低い場合に、Ｌ状態を出力端子に出力する。
ここで、ドロッパ制御トランジスタ３２は、オペアンプ４６の出力端子電圧が上昇した場合に、ドロッパ制御トランジスタ３２の両端抵抗は増加し、オペアンプ４６の出力端子電圧が下降した場合に、ドロッパ制御トランジスタ３２の両端抵抗は減少する。これにより、ドロッパ制御トランジスタ３２は、スイッチング制御に比較して、より細かい電流制御を行うことができる。
【００４７】
なお、基準電源４７が出力する第２の閾値電圧は、下記の式（２）により算出される。
【００４８】
第２の閾値電圧＝プリチャージ充電電流値×抵抗４１の抵抗値  ・・・（２）
【００４９】
ここで、プリチャージ充電電流値は、上述した標準充電電流値よりも小さく定められ、本実施形態では、例えば、１０ｍＡ（１／２０Ｃ）である。
【００５０】
次に、本実施形態における給電システム１００の動作について説明する。
まず、給電システム１００が備える受電装置１の動作について図面を参照して説明する。
図２は、本実施形態における充電モードの切り替え処理を示すフローチャートである。
【００５１】
図２において、まず、受電装置１は、回路電源をＯＮ状態（電源オン状態）にする（ステップＳ１０１）。例えば、給電装置２の給電コイル２１から受電装置１の受電コイル１１にワイヤレス（非接触）により電力が供給され、電池１５に電力が供給される。
【００５２】
次に、受電装置１は、電池１５の出力電圧（ＶＢＡＴ）が３．０Ｖ以下であるか否かを判定する（ステップＳ１０２）。充電制御部４０が、電池１５の出力電圧（ＶＢＡＴ）が３．０Ｖ以下である場合に、充電モードをプリチャージ充電モードに切り替える（ステップＳ１０３）。また、充電制御部４０が、電池１５の出力電圧（ＶＢＡＴ）が３．０Ｖより高い場合に、充電モードを定電流充電モードに切り替える（ステップＳ１０４）。
【００５３】
具体的に、充電制御部４０のコンパレータ４２が、電池１５の出力電圧（ＶＢＡＴ）が３．０Ｖ以下である場合にＬ状態を出力し、切り替え部５０（スイッチ部５１及びスイッチ部５２）をＢ端子の状態に切り替える。これにより、電池１５は、プリチャージ充電モードにより充電される。
また、コンパレータ４２が、電池１５の出力電圧（ＶＢＡＴ）が３．０Ｖより高い場合にＨ状態を出力し、切り替え部５０（スイッチ部５１及びスイッチ部５２）をＡ端子の状態に切り替える。これにより、電池１５は、定電流充電モードにより充電される。
【００５４】
続いて、ステップＳ１０２の処理に戻り、ステップＳ１０２〜ステップＳ１０４の充電モードの切り替え処理を繰り返す。
【００５５】
図３は、本実施形態における充電モードの切り替えと充電電圧及び充電電流との関係の一例を示す図である。
この図において、左側の縦軸は、電池１５の出力電圧（充電電池端電圧）を示し、右側の縦軸は、充電電流を示している。また、横軸は、時間（充電時間）を示している。
なお、図３に示す一例は、充電前の初期状態における電池１５の出力電圧が、３．０Ｖ以下である場合である。また、この図において、波形Ｗ１は、電池１５の出力電圧の変化を示し、波形Ｗ２は、電池１５の充電電流を示している。
【００５６】
時刻Ｔ０において、電池１５の初期電圧が３．０Ｖ以下であるため、充電制御部４０のコンパレータ４２が、Ｌ状態を出力してプリチャージ充電モードにする。すなわち、切り替え部５０のスイッチ部５２が、Ｂ端子からの入力に切り替わり、トランジスタ３１のゲート端子にＬ状態を出力する。これにより、トランジスタ３１がオフ状態になり、共振コンデンサ１２が無効化されるため、受電コイル１１に発生する電圧が低下する。
【００５７】
さらに、スイッチ部５１が、Ｂ端子からの入力に切り替わり、ドロッパ制御トランジスタ３２を介して電池１５に充電電圧を供給する。ここで、オペアンプ４６は、抵抗４１によって変換された電圧と、基準電源４７の出力電圧とを比較し、変換された電圧が、基準電源４７の出力電圧以上である場合に、ドロッパ制御トランジスタ３２の両端抵抗を増加する制御信号をドロッパ制御トランジスタ３２に出力する。これにより、充電制御部４０は、プリチャージ充電モードにおいて、電池１５の充電電流が１０ｍＡになるように、制御する。その結果、電池１５は、波形Ｗ２に示すように、充電電流が標準充電電流値よりも小さい値で充電され、波形Ｗ１に示しように、出力電圧が徐々に上昇する。
【００５８】
次に、時刻Ｔ１において、電池１５の出力電圧が３．０Ｖより大きくなると、コンパレータ４２が、Ｈ状態を出力してプリチャージ充電モードから定電流充電モードにする。すなわち、切り替え部５０のスイッチ部５２が、Ａ端子からの入力に切り替わり、トランジスタ３１のゲート端子にコンパレータ４４の出力を供給する。また、スイッチ部５１が、Ａ端子からの入力に切り替わり、ドロッパ制御トランジスタ３２をバイパスして電池１５に充電電圧を供給する。
【００５９】
ここで、コンパレータ４４は、充電電流が１００ｍＡ（標準充電電流値）以上である場合に、トランジスタ３１のゲート端子にＬ状態を出力して、トランジスタ３１をオフ状態にする。また、コンパレータ４４は、充電電流が１００ｍＡより低い場合に、トランジスタ３１のゲート端子にＨ状態を出力して、トランジスタ３１をオン状態にする。これにより、充電制御部４０は、定電流充電モードにおいて、充電電流が標準充電電流値になるように、受電コイル１１に発生する電圧を制限する。
また、その結果、時刻Ｔ１から時刻Ｔ２までの期間、電池１５は、波形Ｗ２に示すように、充電電流が標準充電電流値で充電され、波形Ｗ１に示しように、出力電圧がプリチャージ充電モードよりも大きい傾きにより上昇する。
【００６０】
次に、図４を参照して受電装置１の動作について詳細に説明する。
図４は、本実施形態における受電装置１の動作の一例を示すタイミングチャートである。
【００６１】
この図において、波形Ｗ３〜Ｗ９は、上から順に、（ａ）電池１５の出力電圧（ノードＮ４の電圧）、（ｂ）切り替え部５０の状態、（ｃ）トランジスタ３１の状態、（ｄ）受電コイル１１の電圧、（ｅ）整流ダイオード１３のカソード電圧、（ｆ）充電電流、及び（ｇ）平均充電電流の波形をそれぞれ示している。なお、各波形の縦軸は、（ａ）、（ｄ）及び（ｅ）が電圧を示し、（ｂ）がＡ端子側／Ｂ端子側の状態を示す、（ｃ）が導通（ＯＮ）／非導通（ＯＦＦ）の状態を示し、（ｆ）及び（ｇ）が電流を示している。また、横軸は、時間を示している。
【００６２】
時刻Ｔ１０から時刻Ｔ１１において、電池１５の出力電圧が３．０Ｖ以下であるため、充電制御部４０のコンパレータ４２が、Ｌ状態を出力してプリチャージ充電モードにする。そのため、切り替え部５０は、波形Ｗ４に示すようにＢ端子側（Ｂ端子の入力）となり、トランジスタ３１の状態は、オフ状態となる。すなわち、共振コンデンサ１２が無効化される。これにより、波形Ｗ６に示すように、受電コイル１１の電圧は、共振回路１０が機能しないために低下する。その結果、整流ダイオード１３のカソード電圧は、波形Ｗ７に示すように、共振回路１０が機能する場合に比べて低下する。
ここで、オペアンプ４６は、抵抗４１によって変換された電圧と、基準電源４７の出力電圧とを比較し、変換された電圧が、基準電源４７の出力電圧以上である場合に、ドロッパ制御トランジスタ３２の両端抵抗を増加させて、充電電流を低減する方向に制限をする。これにより、充電制御部４０は、プリチャージ充電モードにおいて、電池１５の充電電流が１０ｍＡになるように制御する。その結果、波形Ｗ８及び波形Ｗ９に示すように、充電制御部４０は、プリチャージ充電モードにおいて、充電電流を定電流になるように、且つ、標準充電電流よりも小さい電流により電池１５を充電する。
【００６３】
また、時刻Ｔ１１において、電池１５の出力電圧が３．０Ｖに達すると、充電制御部４０のコンパレータ４２が、Ｈ状態を出力して定電流充電モードにする。そのため、切り替え部５０は、波形Ｗ４に示すようにＡ端子側（Ａ端子の入力）となり、時刻Ｔ１１以降において、トランジスタ３１の状態はオン状態となる。すなわち、共振コンデンサ１２が機能する状態になる。ここでは、コンパレータ４４は、充電電流が１００ｍＡより低い場合に、トランジスタ３１のゲート端子にＨ状態を出力して、トランジスタ３１をオン状態にする。また、コンパレータ４４は、充電電流が１００ｍＡ（標準充電電流値）以上である場合に、トランジスタ３１のゲート端子にＬ状態を出力して、トランジスタ３１をオフ状態にする。これにより、充電制御部４０は、定電流充電モードにおいて、充電電流が標準充電電流値になるように、受電コイル１１に発生する電圧を制限する。
また、切り替え部５０のスイッチ部５１は、ドロッパ制御トランジスタ３２をバイパスして、上述したドロッパ制御トランジスタ３２による充電電流の制限機能が無効化する。
【００６４】
例えば、時刻Ｔ１１から時刻Ｔ１２において、充電電流が１００ｍＡ（標準充電電流値）以上であるので、コンパレータ４４は、トランジスタ３１のゲート端子にＬ状態を出力して、トランジスタ３１をオフ状態にする。また、時刻Ｔ１２から時刻Ｔ１３において、充電電流が１００ｍＡ（標準充電電流値）より小さいので、コンパレータ４４は、トランジスタ３１のゲート端子にＨ状態を出力して、トランジスタ３１をオン状態にする。
このように、充電制御部４０は、波形Ｗ５に示すように、充電電流が標準充電電流値になるようにトランジスタ３１を制御する。その結果、受電コイル１１の電圧は、プリチャージ充電モードより大きくなる。また、波形Ｗ８及び波形Ｗ９に示すように、充電制御部４０は、定電流充電モードにおいて、充電電流を定電流になるように、且つ、プリチャージ充電モードよりも大きい電流により電池１５を充電する。
【００６５】
以上説明したように、本実施形態における電子部品３０は、トランジスタ３１と、ドロッパ制御トランジスタ３２と、充電制御部４０とを備えている。トランジスタ３１は、共振回路１０に接続されるスイッチング素子であって、共振コンデンサ１２とともに受電コイル１１と並列に接続され、且つ、共振コンデンサ１２と直列に接続される。なお、共振回路１０は、給電コイル２１から給電される受電コイル１１、及び受電コイル１１と共振する共振コンデンサ１２を有する。また、ドロッパ制御トランジスタ３２は、受電コイル１１が受電した電力を整流した直流電力により充電される電池１５と直列に接続される。そして、充電制御部４０は、電池１５の出力電圧が所定の閾値電圧（例えば、３．０Ｖ）以下である場合に、トランジスタ３１をオフ状態にするとともに、電池１５に流れる充電電流が所定の電流値（例えば、１０ｍＡ）と一致するようにドロッパ制御トランジスタ３２に流れる電流を制御する。
これにより、本実施形態における電子部品３０は、例えば、過放電などにより電圧が低下した状態から電池１５を充電する場合に、電池１５に流れる充電電流を確実に低減することができる。そのため、本実施形態における電子部品３０は、電池１５の状態に応じて、電池１５を適切に充電することができる。
【００６６】
例えば、図５は、本実施形態における充電電圧（電池１５の出力電圧）と充電電流との関係の一例を示す図である。
この図において、縦軸は電池１５に流れる充電電流を示し、横軸は電池１５の出力電圧（充電電池端電圧）を示している。
この図において、波形Ｗ１０は、例えば、特許文献１や特許文献２などに記載の従来の給電システムにより、共振コンデンサ１２を電気的に切り離した場合における電池１５の出力電圧と充電電流との関係を示している。また、波形Ｗ１１は、本実施形態における充電制御部４０を適用した場合における電池１５の出力電圧と充電電流との関係を示している。
【００６７】
波形Ｗ１０に示すように、従来の給電システムでは、電池１５の出力電圧が３．０Ｖから１．０Ｖ程度に低下した場合に、充電電流は、標準充電電流値（１００ｍＡ）を超えて徐々に上昇する。さらに、電池１５の出力電圧が１．０Ｖ以下に低下した場合に、充電電流は、波形Ｗ１０に示すように、急激に上昇する。すなわち、従来の給電システムでは、共振コンデンサを共振回路から電気的に切り離す制御を行っても、大きな充電電流が流れ続けることがある。このように、特許文献１や特許文献２などに記載の従来の給電システムでは、例えば、過放電などにより電池１５の出力電圧が低下した状態から電池１５を充電する場合に、充電電流を適切に制御することができない。
【００６８】
これに対して、本実施形態における電子部品３０は、波形Ｗ１１に示すように、例えば、過放電などにより電池１５の出力電圧が低下した状態から電池１５を充電する場合であっても、充電電流を適切に制御することができる。本実施形態における電子部品３０は、例えば、過放電などにより電池１５の出力電圧が低下した状態から電池１５を充電する場合であっても、充電電流を適切に低減することができるので、電池１５や受電コイル１１、整流ダイオード１３、及び平滑コンデンサ１４の劣化を低減することができる。したがって、本実施形態における電子部品３０は、電池１５、及び各回路素子の寿命を向上させることができるとともに、信頼性を向上させることができる。
【００６９】
また、本実施形態における電子部品３０は、波形Ｗ１１に示すように、電池１５の出力電圧が３．０Ｖ以下の場合に、共振コンデンサ１２を無効化するため、ノードＮ１に発生する電圧は低くなり、ドロッパ制御トランジスタ３２の両端電圧は低くなる。さらに、ドロッパ制御トランジスタ３２により充電電流の制限を行うので、ドロッパ制御トランジスタ３２は、わずかな熱損失しか発生しない。そのため、本実施形態における電子部品３０は、受電装置１の発熱を低減することができる。このことにより、本実施形態における電子部品３０は、受電装置１の発熱を低減するためのヒートシンクなどの放熱部品を削除又は低減することができるので、高集積化することができる。すなわち、本実施形態における電子部品３０は、受電装置１の構成を簡略化することができ、省スペース化（コンパクト化）、及び軽量化することができる。
【００７０】
また、本実施形態では、充電制御部４０は、電池１５の出力電圧が所定の閾値電圧（例えば、３．０Ｖ）より高い場合に、トランジスタ３１をバイパスして直流電力を電池１５に供給する。さらに、充電制御部４０は、充電電流が所定の閾値電流（例えば、１００ｍＡ）以上である場合に、トランジスタ３１をオフ状態にする。
これにより、電池１５の出力電圧が所定の閾値電圧より高い場合に、且つ、充電電流が所定の閾値電流以上である場合に、本実施形態における電子部品３０は、共振コンデンサ１２を無効化して充電電流が所定の閾値電流になるように制御する。よって、本実施形態における電子部品３０は、例えば、電池１５の出力電圧が所定の閾値電圧より高い場合であっても、電池１５を適切に充電することができる。
【００７１】
また、本実施形態では、充電制御部４０は、コンパレータ４２と、切り替え部５０とを備えている。コンパレータ４２は、電池１５の出力電圧と、所定の閾値電圧（例えば、３．０Ｖ）とを比較し、比較結果を出力する。切り替え部５０は、コンパレータ４２による比較結果に基づいて、電池１５の出力電圧が所定の閾値電圧より高い場合の定電流充電モード（第１の充電モード）と、電池１５の出力電圧が所定の閾値電圧以下である場合のプリチャージ充電モード（第２の充電モード）とを切り替える。
これにより、本実施形態における電子部品３０は、簡易な構成により、電池１５を適切に充電することができる。
【００７２】
また、本実施形態では、充電制御部４０は、充電電流を電圧に変換する抵抗４１と、コンパレータ４４と、オペアンプ４６とを備えている。コンパレータ４４は、抵抗４１によって変換された電圧と、所定の閾値電流（例えば、１００ｍＡ）に対応する第１の閾値電圧とを比較し、変換された電圧が、第１の閾値電圧以上である場合に、トランジスタ３１をオフ状態にする制御信号を出力する。オペアンプ４６は、抵抗４１によって変換された電圧と、所定の電流値（例えば、１０ｍＡ）に対応する第２の閾値電圧とを比較し、変換された電圧が、第２の閾値電圧以上である場合に、ドロッパ制御トランジスタ３２の抵抗を増加させる制御信号を出力する。
これにより、本実施形態における電子部品３０は、簡易な構成により、電池１５の充電電流を適切に制御することができる。
【００７３】
また、本実施形態では、所定の閾値電流は、電池１５の放電特性（例えば、公称容量値）に基づいて定められる標準充電電流値であり、所定の電流値は、標準充電電流値よりも小さく定められたプリチャージ充電電流値である。
これにより、本実施形態における電子部品３０は、電池１５の充電電流を適切に定めることができるので、電池１５を適切に充電することができる。
【００７４】
また、本実施形態における受電装置１は、電子部品３０と、受電コイル１１及び共振コンデンサ１２を有する共振回路１０と、整流ダイオード１３と、電池１５とを備えている。整流ダイオード１３は、受電コイル１１が受電した電力を整流して、直流電力に変換する。電池１５は、整流ダイオード１３によって変換された直流電力により充電される。また、本実施形態における給電システム１００は、受電装置１と、受電コイル１１に対向して配置される給電コイル２１を備える給電装置２とを備えている。
これにより、本実施形態における受電装置１、及び給電システム１００は、上述した電子部品３０と同様の効果を奏し、電池１５を適切に充電することができる。
【００７５】
次に、本発明に係る第２の実施形態について、図面を参照して説明する。
［第２の実施形態］
図６は、本発明に係る第２の実施形態による給電システム１００ａの一例を示す概略ブロック図である。なお、この図において、図１と同一の構成については同一の符号を付し、その説明を省略する。
【００７６】
図６において、給電システム１００ａは、給電装置２と、受電装置１ａとを備えている。
給電システム１００ａは、給電装置２から受電装置１ａにワイヤレス（非接触）により電力を供給するシステムであり、例えば、受電装置１ａが備える電池１５を充電するための電力を給電装置２から受電装置１ａに供給する。
【００７７】
受電装置１ａは、受電コイル１１、受電コイル１１、共振コンデンサ１２、整流ダイオード１３、平滑コンデンサ１４、電池１５、及び電子部品３０ａを備え、電子部品３０ａは、トランジスタ３１と、ドロッパ制御トランジスタ３２と、充電制御部４０ａとを備えている。また、充電制御部４０ａは、抵抗（４２１，４２２）、コンパレータ（４２，４４）、オペアンプ４６、基準電源（４３，４５，４７）、切り替え部５０ａ、及び電圧変換部６０を備えている。
なお、本実施形態では、充電制御部４０ａが、抵抗（４２１，４２２）、切り替え部５０ａ、及び電圧変換部６０を備える点が、第１の実施形態と異なり、以下、この相違する構成について説明する。
【００７８】
抵抗（４２１，４２２）は、ノードＮ４と電源ＧＮＤの間に、直列に接続され、電池１５の出力電圧をコンパレータ４２が比較するための所定の電圧レベルに、抵抗分圧により変換する。なお、本実施形態では、コンパレータ４２の＋入力端子は、抵抗４２１と抵抗４２２とが接続されるノードＮ６が接続される。また、本実施形態において、基準電源４３は、所定の閾値電圧（例えば、３．０Ｖ）が抵抗４２１と抵抗４２２との抵抗比により抵抗分圧された場合に対応する電圧を出力する定電圧源である。
本実施形態では、電池１５の出力電圧の検出（比較）に、抵抗４２１と抵抗４２２とにより抵抗分圧された電圧を用いるため、耐圧の低いコンパレータ４２を使用することが可能になる。
【００７９】
切り替え部５０ａは、トランジスタ５１１、抵抗（５１２，５１３）、及びＡＮＤ回路５２ａを備えている。なお、トランジスタ５１１、及び抵抗（５１２，５１３）は、第１の実施形態におけるスイッチ部５１に対応し、ＡＮＤ回路５２ａは、第１の実施形態におけるスイッチ部５２に対応する。さらに、トランジスタ５１１、及び抵抗（５１２，５１３）は、第１の実施形態において、ドロッパ制御トランジスタ３２として機能するために必要な機能を備えている。
また、本実施形態では、ドロッパ制御トランジスタ３２に、一例として、ＰＮＰ型のバイポーラトランジスタ（以下、ＰＮＰトランジスタという）を適用した場合を示している。
【００８０】
トランジスタ５１１は、例えば、ＮＰＮ型のバイポーラトランジスタ（以下、ＮＰＮトランジスタという）である。トランジスタ５１１は、コレクタ端子がノードＮ７に接続され、ベース端子がコンパレータ４２の出力信号線に接続され、エミッタ端子が電源ＧＮＤに接続されている。トランジスタ５１１は、コンパレータ４２の出力がＨ状態である場合（定電流充電モード）に、オン状態になり、ドロッパ制御トランジスタ３２の制御端子（ベース端子）にＬ状態を供給する。これにより、ドロッパ制御トランジスタ３２はオン状態になり、電池１５の充電電流は、第１の実施形態におけるスイッチ部５１のＡ端子側（定電流充電モード）の制御と同様の状態になる。
また、トランジスタ５１１は、コンパレータ４２の出力がＬ状態である場合（プリチャージ充電モード）に、オフ状態になり、ドロッパ制御トランジスタ３２の機能を有効にする。
【００８１】
抵抗５１２は、第１端子がノードＮ３に接続され、第２端子がノードＮ７に接続されている。なお、ノードＮ７は、ドロッパ制御トランジスタ３２のベース端子に接続されている。抵抗５１２は、ドロッパ制御トランジスタ３２をオフ状態にする際に、ベース端子にエミッタ端子と同等の電圧を供給する。
抵抗５１３は、第１端子がノードＮ７に接続され、第２端子がオペアンプ４６の出力信号線に接続されている。オペアンプ４６は、プリチャージ充電モードにおいて、抵抗５１３を介してドロッパ制御トランジスタ３２を制御する。
このように、トランジスタ５１１、及び抵抗（５１２，５１３）は、第１の実施形態におけるスイッチ部５１と同様に機能する。
【００８２】
ＡＮＤ回路５２ａは、２つの入力信号をＡＮＤ論理演算（論理積演算）する演算回路である。ＡＮＤ回路５２ａは、第１の入力端子がコンパレータ４２の出力信号線に接続され、第２の入力端子がコンパレータ４４の出力信号線に接続されている。また、ＡＮＤ回路５２ａは、出力端子が、トランジスタ３１のゲート端子と接続されている。すなわち、ＡＮＤ回路５２ａは、コンパレータ４２の出力がＨ状態である場合（定電流充電モード）に、コンパレータ４４の出力をトランジスタ３１のゲート端子に出力する。また、コンパレータ４２の出力がＬ状態である場合（プリチャージ充電モード）に、トランジスタ３１のゲート端子にＬ状態を出力する。
このように、ＡＮＤ回路５２ａは、第１の実施形態におけるスイッチ部５２と同様に機能する。
【００８３】
電圧変換部６０は、抵抗４１と、オペアンプ６１と、抵抗（６２，６３）とを備え、充電電流を電圧に変換する。
オペアンプ６１は、＋入力端子がノードＮ５に接続され、−入力端子がノードＮ８に接続されている。また、オペアンプ６１の出力端子は、ノードＮ９に接続されるとともに、オペアンプ４６の＋入力端子、及びコンパレータ４４の−入力端子に接続されている。
また、抵抗６２は、ノードＮ８と電源ＧＮＤとの間に接続され、抵抗６３は、ノードＮ８とノードＮ９との間に接続されている。
【００８４】
オペアンプ６１、及び抵抗（６２，６３）は、増幅回路を構成している。この増幅回路は、抵抗４１によって充電電流から変換された電圧を増幅して、コンパレータ４４、及びオペアンプ４６に供給する。こうすることにより、抵抗４１の抵抗値を低減することができるので、充電制御部４０ａは、充電電流の検出精度を向上させることができる。
【００８５】
以上説明したように、本実施形態における電子部品３０ａ、受電装置１ａ、及び給電システム１００ａは、第１の実施形態と同様の機能を備えている。そのため、本実施形態における電子部品３０ａ、受電装置１ａ、及び給電システム１００ａは、第１の実施形態と同様の効果を奏する。
【００８６】
なお、本実施形態において、充電制御部４０ａは、電池１５の出力電圧が所定の閾値電圧（例えば、３．０Ｖ）より高い場合に、ドロッパ制御トランジスタ３２をオン状態にした状態によりドロッパ制御トランジスタ３２に流れる電流の制御を停止するとともに、さらに、充電電流が所定の閾値電流（例えば、１００ｍＡ）以上である場合に、トランジスタ３１をオフ状態にする。
これにより、電池１５の出力電圧が所定の閾値電圧より高い場合に、且つ、充電電流が所定の閾値電流以上である場合に、本実施形態における電子部品３０ａ、受電装置１ａ、及び給電システム１００ａは、共振コンデンサ１２を無効化して充電電流が所定の閾値電流になるように制御する。よって、本実施形態における電子部品３０ａ、受電装置１ａ、及び給電システム１００ａは、例えば、電池１５の出力電圧が所定の閾値電圧より高い場合であっても、電池１５を適切に充電することができる。
【００８７】
なお、本発明は、上記の各実施形態に限定されるものではなく、本発明の趣旨を逸脱しない範囲で変更可能である。
例えば、上記の各実施形態において、電子部品３０（３０ａ）は、共振コンデンサ１２、整流ダイオード１３、及び平滑コンデンサ１４を含まない形態を説明したが、電子部品３０（３０ａ）は、共振コンデンサ１２、整流ダイオード１３、又は平滑コンデンサ１４を含む形態でもよい。
また、上記の各実施形態において、電子部品３０（３０ａ）は、スイッチング素子の一例として、トランジスタ３１にＮＭＯＳトランジスタを用いる場合について説明したが、他のスイッチング素子を用いてもよい。電子部品３０（３０ａ）は、例えば、トランジスタ３１にＰ型チャネルＭＯＳトランジスタ（ＰＭＯＳトランジスタ）やバイポーラトランジスタを適用してもよい。
【００８８】
また、上記の第２の実施形態において、電子部品３０ａは、ドロッパ制御トランジスタ３２にＰＮＰトランジスタを用いる場合について説明したが、ドロッパ制御トランジスタ３２にＮＰＮトランジスタやＭＯＳトランジスタなどの他のトランジスタを適用してもよい。
また、上記の第２の実施形態において、電子部品３０ａは、トランジスタ５１１にＮＰＮトランジスタを用いる場合について説明したが、トランジスタ５１１にＰＮＰトランジスタやＭＯＳトランジスタなどの他のトランジスタを適用してもよい。
【００８９】
また、上記の各実施形態において、電子部品３０（３０ａ）は、抵抗４１を用いて充電電流を検出する形態を説明したが、他の手法を用いて充電電流を検出してもよい。
【００９０】
また、電子部品３０（３０ａ）又は電子部品３０（３０ａ）が備える各構成は、専用のハードウェアにより実現されるものであってもよい。また、電子部品３０（３０ａ）又は電子部品３０（３０ａ）が備える各構成は、メモリ及びＣＰＵにより構成され、電子部品３０（３０ａ）又は電子部品３０（３０ａ）が備える各構成を実現するためのプログラムをメモリにロードして実行することによりその機能を実現させるものであってもよい。
【符号の説明】
【００９１】
１，１ａ  受電装置
２  給電装置
１０，２０  共振回路
１１  受電コイル
１２，２２  共振コンデンサ
２１  給電コイル
１３  整流ダイオード
１４  平滑コンデンサ
１５  電池
２３  駆動トランジスタ
２４  発振回路
３０，３０ａ  電子部品
３１  トランジスタ
３２  ドロッパ制御トランジスタ
４０，４０ａ  充電制御部
４１，６２，６３，４２１、４２２，５１２，５１３  抵抗
４２，４４  コンパレータ
４３，４５，４７  基準電源
５０，５０ａ  切り替え部
５１，５２  スイッチ部
５２ａ  ＡＮＤ回路
６０  電圧変換部
６１，４６  オペアンプ
１００，１００ａ  給電システム
５１１  トランジスタ
【図１】
2014131440.tif 000003
【図２】
2014131440.tif 000004
【図３】
2014131440.tif 000005
【図４】
2014131440.tif 000006
【図５】
2014131440.tif 000007
【図６】
2014131440.tif 000008